(57)【要約】【課題】洗面ボウル等を載置した際にかかる重量等による下方にかかる力に対して、強度を確保し、ベースキャビネットの撓み変形を抑制し、正面から見ても意匠性が良く、プッシュラッチ等の金具も正面側に取り付けやすいベースキャビネットを実現する。【解決手段】ベースキャビネット３１は、正面扉５と左右二つの側板２と背板３を備え、上部開口４を有し、両側板２の間に渡って正面側上部に、横長桟１５と縦長桟１６の二つの桟が、それぞれ左右両端が両側板２に固定されて設けられ、横長桟１５が正面扉５側に配置され、横長桟１５の背板側に当接し縦長桟１６が配置されており、横長桟１５と縦長桟１６が連結具３２によって連結されている。【選択図】図２
2020116150.tif 000002
【特許請求の範囲】
【請求項１】
正面扉と左右二つの側板と背板を備え、上部開口を有するベースキャビネットであって、両側板間の正面側上部に断面横長長方形状の横長桟と、断面縦長長方形状の縦長桟の二つの桟が設けられており、横長桟が正面扉側に配置され、横長桟の背板側に縦長桟が配置されていることを特徴とするベースキャビネット。
【請求項２】
請求項１に記載のベースキャビネットであって、横長桟と縦長桟が連結具によって連結されていることを特徴とするベースキャビネット。
【発明の詳細な説明】
【技術分野】
【０００１】
本発明は、ベースキャビネットに関するものであり、例えば、洗面台において洗面ボウルが載置されるように組み込まれるベースキャビネットである。
【背景技術】
【０００２】
従来、洗面台において、洗面キャビネットの扉の上端部付近の内側に、桟木を水平状に配設する構成が知られている（特許文献１参照）。
【０００３】
また、洗面化粧台のキャビネットが、左右の側板、底板、背面板、正面に形成され前方に開閉自在な開閉扉とから箱状に形成され、正面上部に、キャビネットの剛性を確保するための桟が、開閉扉の後方の位置に左右の側板間にわたって架設されている構成が知られている（特許文献２参照）。
【先行技術文献】
【特許文献】
【０００４】
【特許文献１】実開平３−９６７８０号公報
【特許文献２】特許第４８９４６９５号公報
【発明の概要】
【発明が解決しようとする課題】
【０００５】
上記特許文献１、２に示すとおり、キャビネットの両側板の間にわたって、正面側上部に桟が設けられている構成は知られている。上記特許文献１、２に記載されている桟は、それぞれの図面を参照すると、桟の長手方向に直交する垂直断面が、横方向（奥行き水平方向）より縦方向（上下垂直方向）に長い、縦長長方形断面を有する縦長桟である。
【０００６】
このような縦長桟を用いたベースキャビネットの一例を、従来例１として図４（ａ）、（ｂ）に示し、その長所および短所を説明する。従来例１のベースキャビネット３５は、正面上部において両側板２の間に縦長桟１６が架設され、上部開口４を有する構成である。ベースキャビネット３５には、背板３、正面扉５を備え、金具３６で取り付けられた棚板６が設けられている。
【０００７】
このようなベースキャビネット３５において、縦長桟１６は、図示はしないが、ベースキャビネット３５上に載置して設置される洗面ボウル等の重量による下方向にかかる力に対して、比較的大きな強度を有するという点では優れている。
【０００８】
しかしながら、縦長桟１６は、その正面にプッシュラッチ等の金具を取り付けると扉側に突出しすぎてしまい、また、その下面は狭いので下面には金具は取り付けにくい。要するに、縦長桟１６は、金具を取り付ける対象部分としては適してはいない。
【０００９】
さらに、縦長桟１６は上下幅が広いために、キャビネット３５を正面側から見ると、目立ってしまい、見栄えが悪く、意匠性の観点から好ましくはない。
【００１０】
このような縦長桟に対して、横長桟を用いたベースキャビネットの一例を従来例２として図５（ａ）、（ｂ）に示し、その長所および短所を説明する。従来例２は、従来例１と略同じであるので、相違する構成を中心に説明し、従来例１と共通な部分は同じ符号とする。
【００１１】
従来例２のベースキャビネット３７は、長手方向に直交する垂直断面が、横方向（奥行き水平方向）のほうが縦方向（上下垂直方向）より長い、横長長方形断面を有する横長桟１５が両側板２の間に架設された構成である。
【００１２】
横長桟１５は、上下方向にかかる力に対して、縦長桟１６より強度は小さいが、その下面は奥行幅が広いので、金具を取り付けるには適している。さらに、キャビネット３７を正面側から見ると、横長桟３６は、上下幅が狭いために、正面から見て比較的目立たず、見栄えは悪くないので、意匠性の観点からは好ましい。
【００１３】
本発明は、ベースキャビネットに設けられる縦長桟および横長桟が、それぞれ有する上記従来の問題を解決することを目的とするものであり、縦長桟と横長桟のそれぞれの良さを発揮でき、強度を確保しながら意匠性が良く、金具の取付けにも適しているベースキャビネット構造を実現することを課題とする。
【課題を解決するための手段】
【００１４】
本発明は上記課題を解決するために、正面扉と左右二つの側板と背板を備え、上部開口を有するベースキャビネットであって、両側板間の正面側上部に断面横長長方形状の横長桟と、断面縦長長方形状の縦長桟の二つの桟が設けられており、横長桟が正面扉側に配置され、横長桟の背板側に縦長桟が配置されていることを特徴とするベースキャビネットを影響する。
【００１５】
横長桟と縦長桟が連結具によって連結されていることが好ましい。
【発明の効果】
【００１６】
本発明によると、ベースキャビネットは、両側板間に渡って正面側上部に、横長桟と縦長桟の二つの桟が架設され、横長桟が正面扉側に配置され、横長桟の背板側に縦長桟が配置されている構成であるので、二つの桟に対して下方にかかる重量等に対して、強度を確保しながら、意匠性も良く、金具等の取り付けもし易い、剛性の大きなキャビネット構造を実現することが可能となる。
【図面の簡単な説明】
【００１７】
【図１】本発明に係るベースキャビネットの実施例１を説明する図であり、（ａ）は正面図であり、（ｂ）は（ａ）のＢ−Ｂ断面図であり、扉は２点鎖線で示す。
【図２】本発明に係るベースキャビネットの実施例２を説明する図であり、（ａ）は正面図であり、（ｂ）は（ａ）のＢ−Ｂ断面図であり、扉は２点鎖線で示し、（ｃ）は（ｂ）の要部を示す拡大図である。
【図３】上記実施例２のベースキャビネットを洗面台に組み込んだ構成を示す図であり、（ａ）は正面図であり、（ｂ）は（ａ）のＢ−Ｂ断面図である。
【図４】従来例１のベースキャビネットの説明する図であり、（ａ）は正面図であり、（ｂ）は（ａ）のＢ−Ｂ断面図であり、扉は２点鎖線で示す。
【図５】従来例２のベースキャビネットの説明する図であり、（ａ）は正面図であり、（ｂ）は（ａ）のＢ−Ｂ断面図であり、扉は２点鎖線で示す。
【発明を実施するための形態】
【００１８】
本発明に係るベースキャビネットを実施するための形態を実施例に基づき図面を参照して、以下説明する。
【００１９】
（実施例１）
本発明に係るベースキャビネットの実施例１を図１を参照して説明する。図１は、実施例１のベースキャビネット１を示すが、本明細書では、ベースキャビネットの奥行側を背板側（背面側）と言い、手前側を正面側と言い、ベースキャビネットを正面から見て左右側を左右という。
【００２０】
ベースキャビネット１は、左右二つの側板２と背板３を備え、上部開口４を有し、正面側には正面扉５（図１（ｂ）で２点鎖線で示す部分）を備えている。本実施例１では、左右の側板２の間に渡って、棚板６と底板７が架設されている。底板７の一部には開口８を有し、開口８を開閉する開口蓋９が設けられている。
【００２１】
両側板２の間に渡って正面側上部に、断面横長長方形状の横長桟１５と断面縦長長方形状の縦長桟１６の二つの桟が、それぞれ左右両端が両側板２に固定されて設けられている。横長桟１５は正面扉５側に配置され、縦長桟１６は横長桟１５の背板３側に間隔をおいて配置されている。
【００２２】
実施例１のベースキャビネット１は、横長桟１５と縦長桟１６の二つの桟が設けられている構成であり、特に縦長桟１６は、下方にかかる力に対してより大きな強度を有するので、従来例１、２に較べて強度が増し、洗面ボウル２１の重量等による下方にかかる力に対して十分は強度を有し、横長桟１５と縦長桟１６の撓み変形を抑制し、ベースキャビネット１の剛性を高め、安定した状態で洗面ボウル２１等を支持することができる。
【００２３】
そして、ベースキャビネット１は、縦長桟１６が、正面側に露出することなく、横長桟１５よりも背板側に隠れた状態で配置されているので、正面側前方からを見て、縦長桟１６が正面側に設けられている従来例２の構成に比べ、目立つことがなく、意匠性も良い。
【００２４】
また、横長桟１５は、正面扉５側に配置されていても、その正面部は上下方向に幅が小さく、比較的に目立つことがないので、意匠性もさほど損なわない。むしろ、横長桟１５は正面扉５側に配置されており、しかもその下面は比較的広いので、金具等を取り付けやすい。
【００２５】
例えば、横長桟１５は、正面扉５に対面する正面側に設けられているので、プッシュラッチ、マグネット付き金具等の金具の取り付け対象部として適しており、また取り付けやすい。ここで、プッシュラッチ、マグネット付き金具は、扉を閉止状態にするとともに、扉をプッシュしたり引いたりすれば係合を解除する、正面扉に対する係脱部品であり、周知なものを使用すればよい。
【００２６】
（実施例２）
本発明に係るベースキャビネットの実施例２を図２、図３を参照して説明する。実施例２は、実施例１と略同じであり、ここでは、相違する構成を中心に説明する。実施例２において、実施例１と共通の部材や同じ構成の部分は、同じ符号を使用する。
【００２７】
実施例２のベースキャビネット３１においても、実施例１のベースキャビネット１と同様に、図２（ａ）、（ｂ）に示すように、両側板２の間に渡って正面側上部に、横長桟１５と縦長桟１６の二つの桟が、それぞれ左右両端が両側板２に固定されて設けられている。
【００２８】
また、ベースキャビネット３１の横長桟１５および縦長桟１６は、実施例１と同様に、横長桟１５は正面扉５側に配置され、縦長桟１６は横長桟１５の背板３側に配置されている。このような横長桟１５と縦長桟１６に係る構成は、実施例１のベースキャビネット１と同じである。
【００２９】
しかしながら、実施例２のベースキャビネット３１においては、横長桟１５と縦長桟１６は、実施例１のベースキャビネット１のような奥行き方向に間隔をおいて設けられた構成（図１（ｂ）参照）とは異なり、図２（ｂ）、（ｃ）に示すように、互いに当接（密接）して、垂直断面がＬ字状の連結具３２によって一体的に連結されている。
【００３０】
具体的には、図２（ｂ）、（ｃ）に示すように、横長桟１５の背面（背板側の面）に当接して縦長桟１６が設けられている。そして、Ｌ字状の連結具３２が、横長桟１５の下面と縦長桟１６の正面に当接され、ビス等で固定され、横長桟１５と縦長桟１６は、一体的に連結されている。
【００３１】
実施例２のベースキャビネット３１は、横長桟１５と縦長桟１６の二つの桟を設けているので、前記従来例１、２に比べ、強度が増す効果が生じる点は、実施例１と同様である。
【００３２】
特に、実施例２のベースキャビネット３１は、横長桟１５と縦長桟１６が、互いに当接して連結具３２で一体的に連結されている構成であるので、実施例１よりもさらに強度が増し、横長桟１５と縦長桟１６の撓み変形を抑制し、ベースキャビネット３１の剛性を高め、安定した状態で洗面ボウル２１等を載置し、支持する。
【００３３】
なお、実施例２のベースキャビネット３１についても、実施例１と同様に、プッシュラッチ、マグネット付き金具等は、横長桟１５への取り付けがし易く、また、縦長桟１６は、横長桟１５の背板側に設けたので、目立たず意匠性も良いという効果が生じる。
【００３４】
上記構成の実施例２のベースキャビネット３１を組み込んだ洗面台２０を図３（ａ）、（ｂ）に示す。なお、実施例１のベースキャビネット１については、洗面台に組み込んだ状態を特に示さないが、実施例２の場合と同様である。
【００３５】
図３（ａ）、（ｂ）に示すように、洗面台２０では、ベースキャビネット３１の上には、水栓付き洗面ボウル２１の設けられた洗面カウンタ２２（天板）が載置され、図示しないが、固定金具等によってベースキャビネット３１に取り付けられている。洗面カウンタの左右２２の側端部から下方に向けて、洗面台２０の側板２３が設けられている。
【００３６】
ところで、実施例２では、図２（ｂ）、（ｃ）に示すように、連結具３２としてＬ字状の連結具３２を利用したが、連結具３２を使用することなく、縦長桟１６の後側からビス等で、縦長桟１６を横長桟１５に固定し、一体的に連結する構成としてもよい。
【００３７】
また、横長桟１５と縦長桟１６が、互いに当接（密接）するだけで、固定しない構成でも、横長桟１５と縦長桟１６のそれぞれの効果が生じるとともに、互いに当接して準一体化（互いに密着した状態）されるので、強度を増すことが可能となる。
【００３８】
以上、本発明に係るベースキャビネットを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３９】
本発明に係るベースキャビネットは上記のような構成であるから、洗面台をはじめとして、キッチン、その他の分野におけるベースキャビネットとしても適用可能である。
【符号の説明】
【００４０】
１  ベースキャビネット                   
２  側板                                 
３  背板                                 
４  上部開口                             
５  正面扉                               
６  棚板                                 
７  底板                                 
８  底板の開口                           
９  開口蓋                               
１５  横長桟                             
１６  縦長桟                             
２０  洗面台                             
２１  洗面ボウル                         
２２  洗面カウンタ                       
２３  洗面台の側板                       
３１  ベースキャビネット                 
３２  連結具                             
３５  ベースキャビネット                 
３６  棚板取付け金具                     
３７  ベースキャビネット                 
【図１】
2020116150.tif 000003
【図２】
2020116150.tif 000004
【図３】
2020116150.tif 000005
【図４】
2020116150.tif 000006
【図５】
2020116150.tif 000007